(57)【要約】【課題】  降雨時の雨水の排水設備への一気の集中流入現象を緩和するための雨水貯留浸透施設を、ガラスくずという廃棄物の持つ最適の諸特性を利用して施工費用および維持管理費用を抑えて安価に構築可能とする。【解決手段】  宅地造成地の駐車場などの地下に構築され、降雨時に雨水がＵ字溝１１等の排水施設へ急激に集中流入するのを緩和する雨水貯留浸透施設１において、リサイクルガラスカレット３を用いて該ガラスカレット３の空隙率及び水の表面張力を保持できる大きさの空隙の数によって決まる所期保水量を保持するに足りる容積を持つ雨水貯留浸透層４を構築し、該雨水貯留浸透層４と周囲の地盤５との保水能力の比較において、周囲地盤５の保水能力が劣る場合には雨水貯留浸透層４は雨水を自らの層４内に保水し、周囲地盤５の保水能力が勝る場合には雨水貯留浸透層４内の雨水を周囲地盤５へ浸透させることを特徴とする。【選択図】  図１
2006046063.tif 000002
【特許請求の範囲】
【請求項１】
開発地、公共施設などの地下や、雨水管、集水ますなどの周囲に構築され、降雨時に雨水が排水本管等の排水施設へ急激に集中流入するのを緩和する雨水貯留浸透施設において、リサイクルガラスカレットを用いて、該ガラスカレットの空隙率及び、水の表面張力を保持できる大きさの空隙の数によって決まる所期保水量を保持するに足りる容積を持つ雨水貯留浸透層を地中に構築し、該雨水貯留浸透層が周囲の土壌との保水能力差に応じて雨水を層内に保水し、または周囲の土壌へ浸透させることを特徴とするリサイクルガラスカレット利用の雨水貯留浸透施設。
【請求項２】
宅地造成地の駐車場、緑地帯、住宅、道路などの地下に構築されてなることを特徴とする請求項１記載のリサイクルガラスカレット利用の雨水貯留浸透施設。
【請求項３】
前記雨水貯留浸透層と周囲の土壌との保水能力の比較において、周囲土壌の保水能力が劣る場合には雨水貯留浸透層は雨水を自らの層内に保水し、または周囲土壌の雨水を雨水貯留浸透層が吸収して保水し、周囲の土壌の保水能力が勝る場合には雨水貯留浸透層は雨水を層内から周囲土壌へ浸透させることを特徴とする請求項１又は２に記載のリサイクルガラスカレット利用の雨水貯留浸透施設。
【請求項４】
前記雨水貯留浸透層が布製等の透水シートに包まれて地下に埋設構築されるか、または裸のままで地下に埋設構築されることを特徴とする請求項１〜３の何れかに記載のリサイクルガラスカレット利用の雨水貯留浸透施設。
【請求項５】
前記雨水貯留浸透層の内部を貫通して配設され、該層内部において該層と連通する手段を有すると共に該層の外部へ延び出して前記排水本管等の排水施設に接続される排水流路を備えることを特徴とする請求項１〜４のいずれかに記載のリサイクルガラスカレット利用の雨水貯留浸透施設。
【請求項６】
前記排水流路が管状に形成され、その管壁を貫通して設けられた多数の孔が前記雨水貯留浸透層と連通する手段を構成していることを特徴とする請求項５に記載のリサイクルガラスカレット利用の雨水貯留浸透施設。
【請求項７】
前記連通手段としての多数の貫通孔を布製等の透水シートで覆うか、または覆わずに露出したままとされることを特徴とする請求項５または６に記載のリサイクルガラスカレット利用の雨水貯留浸透施設。
【請求項８】
前記管状の排水流路の住宅側端部が住宅の雨樋などの排水経路に接続されていることを特徴とする請求項５〜７のいずれかに記載のリサイクルガラスカレット利用の雨水貯留浸透施設。
【請求項９】
前記雨水貯留浸透層の構築に当たり、粒径がほぼ０．１ｍｍ〜２５ｍｍ程度のリサイクルガラスカレットを用いて構築することを特徴とする請求項１〜８のいずれかに記載のリサイクルガラスカレット利用の雨水貯留浸透施設。
【請求項１０】
前記雨水貯留浸透層の構築に当たり、該雨水貯留浸透層と周囲の土壌との間に雨水貯留浸透層内部よりも適度に大粒径のリサイクルガラスカレット層を所定厚さおよび範囲に構築し、雨水貯留浸透層と周囲の土壌との保水能力差に応じて雨水の受け渡しをスムーズ化することを特徴とする請求項１〜９のいずれかに記載のリサイクルガラスカレット利用の雨水貯留浸透施設。
【発明の詳細な説明】
【技術分野】
【０００１】
本発明は、宅地造成地や道路などにおける地表の雨水浸透面積の減少に伴う排水本管等への雨水の急激な集中流入現象を緩和するためのリサイクルガラスカレット(再生利用するガラスくず)利用の雨水貯留浸透施設に関する。
【背景技術】
【０００２】
従来、雨水の地下貯水システムとして、例えば特開２００１−７３４１５号公報や特開２００１−１１５５０７号公報に開示されたものがある。いずれも地下水を集水浄化層に導き、浄化層を通り抜けた水を不透水構造の地下貯水槽に貯留する。
【０００３】
こうして、ある程度浄化した地下水を非常用水や植生のための潅水や公衆トイレなどの中水として利用可能にすると共に、雨水を降っただけそのまま一度に河川等に流してしまうことを防止でき、地域単位での雨水の有効利用あるいは雨水処理能力の平準化などもある程度可能になる。
【０００４】
また、特開平１０−１９８１号公報に開示された地下貯水槽は、道路側溝の雨水桝と中空ブロックとを流入管で接続すると共に、多数の中空ブロックを連通管により順次相互に接続して地中に埋設して雨水を浄化しないままに貯水し、この中空ブロックにポンプを設置して、貯水した雨水を取り出す構成である。
【特許文献１】特開２００１−７３４１５号公報
【特許文献２】特開２００１−１１５５０７号公報
【特許文献３】特開平１０−１９８１号公報
【発明の開示】
【発明が解決しようとする課題】
【０００５】
しかし、これらの地下貯水システムでは、地下貯水槽の構築を初めとして大掛かりな関連設備工事を要するうえに、維持管理にも費用が嵩むという問題点や、地盤の含水量を積極的かつ自動的に調整するなどの能力に欠けるという問題点があった。
【０００６】
そこで、本発明は、降雨時の雨水の排水施設への一気の集中流入現象を緩和するための雨水貯留浸透施設を、ガラスくずという廃棄物の持つ最適の諸特性を利用して施工費用および維持管理費用を抑えて安価に構築可能とすると共に、ガラス廃棄物のリサイクルに役立てることを目的とする。
【課題を解決するための手段】
【０００７】
前記課題を解決するために、請求項１に記載の発明は、開発地、公共施設などの地下や、雨水管、集水ますなどの周囲に構築され、降雨時に雨水が排水本管等の排水施設へ急激に集中流入するのを緩和する雨水貯留浸透施設において、リサイクルガラスカレットを用いて、該ガラスカレットの空隙率及び、水の表面張力を保持できる大きさの空隙の数によって決まる所期保水量を保持するに足りる容積を持つ雨水貯留浸透層を地中に構築し、該雨水貯留浸透層が周囲の土壌との保水能力差に応じて雨水を層内に保水し、または周囲の土壌へ浸透させることを特徴とする。
請求項２に記載の発明は、請求項１に記載の発明において、宅地造成地の駐車場、緑地帯、住宅、道路などの地下に構築されてなることを特徴とする。
【０００８】
請求項３に記載の発明は、請求項１又は２に記載の発明において、前記雨水貯留浸透層と周囲の土壌との保水能力の比較において、周囲土壌の保水能力が劣る場合には雨水貯留浸透層は雨水を自らの層内に保水し、または周囲土壌の雨水を雨水貯留浸透層が吸収して保水し、周囲の土壌の保水能力が勝る場合には雨水貯留浸透層は雨水を層内から周囲土壌へ浸透させることを特徴とする。
【０００９】
請求項４に記載の発明は、請求項１〜３のいずれかに記載の発明において、雨水貯留浸透層が布製等の透水シートに包まれて地下に埋設構築されるか、または裸のままで地下に埋設構築されることを特徴とする。
【００１０】
請求項５に記載の発明は、請求項１〜４のいずれかに記載の発明において、雨水貯留浸透層の内部を貫通して配設され、該層内部において該層と連通する手段を有すると共に該層の外部へ延び出して前記排水本管等の排水施設に接続される排水流路を備えることを特徴とする。
【００１１】
請求項６に記載の発明は、請求項５に記載の発明において、排水流路が管状に形成され、その管壁を貫通して設けられた多数の孔が前記雨水貯留浸透層と連通する手段を構成していることを特徴とする。
【００１２】
請求項７に記載の発明は、請求項５または６に記載の発明において、前記連通手段としての多数の貫通孔を布製等の透水シートで覆うか、または覆わずに露出したままとされることを特徴とする。
【００１３】
請求項８に記載の発明は、請求項５〜７のいずれかに記載の発明において、管状の排水流路の住宅側端部が住宅の雨樋などの排水経路に接続されていることを特徴とする。
【００１４】
請求項９に記載の発明は、請求項１〜８のいずれかに記載の発明において、雨水貯留浸透層の構築に当たり、粒径がほぼ７ｍｍ以下のリサイクルガラスカレットを用いて構築することを特徴とする。
【００１５】
請求項１０に記載の発明は、請求項１〜９のいずれかに記載の発明において、雨水貯留浸透層の構築に当たり、該雨水貯留浸透層と周囲の土壌との間に雨水貯留浸透層内部よりも適度に大粒径のリサイクルガラスカレット層を所定厚さおよび範囲に構築し、雨水貯留浸透層と周囲の土壌との保水能力差に応じて雨水の受け渡しをスムーズ化することを特徴とする。
【発明の効果】
【００１６】
本発明によれば、空隙率が大きいので保水能力が大きく、かつ含水はしないので空隙は減らず、目詰まりしにくく、このため保水能力が長期にわたって維持され、長寿命であるリサイクルガラスカレットの保水能力と浸透性の両方の特性をバランスよく利用している点を特徴としている。
【００１７】
すなわち本発明では、リサイクルガラスカレットの空隙率及び水の表面張力が関与する空隙の大きさによって決まる所期保水量を決め、該所期保水量を保持するために必要な容量のリサイクルガラスカレットを収容するに足りる所期容積を持つガラスカレット収容部を地中に掘削し、この収容部に前記の所期保水量を保持するために必要な容量のリサイクルガラスカレットを収容する。これにより、周囲地盤に大量の雨水が既に吸水されていて、そのために周囲地盤には保水の余力が残されていない場合、つまり周囲地盤の保水能力よりもリサイクルガラスカレットの保水能力が高いときは、該リサイクルガラスカレットによって周辺地盤に浸透させないだけでなく、周辺地盤に含まれる水をリサイクルガラスカレットの側で吸水して周辺地盤が余計に雨水で浸されるのを防止できる。反対に周辺地盤が乾燥してリサイクルガラスカレットの保水能力よりも勝れば(つまり、周囲地盤に保水能力の余裕が生じたとき)、地盤側へ雨水を浸透させることができる。このようにリサイクルガラスカレットの保水能力と地盤の保水能力との差に応じて雨水の貯留・保水作用と周囲地盤への浸透作用の切り替えを自動的に行うので、雨水の保水と排水の優れた自動調整能力を発揮でき、保守管理の手間がかからない。
【００１８】
また、リサイクルガラスカレットは、例えば、再生の困難な緑色系ガラス瓶の破砕くずなどの廃物を利用できるので、素材費用を大幅に節減できる。そのうえ、廃物であるガラスくずの再利用によって資源化が図れるという大きなメリットが期待できる。  雨水貯留浸透施設における雨水貯留浸透層を構築するのにリサイクルガラスカレットを利用する。
【００１９】
さらに、成分がガラスであるので、周囲の地盤に悪影響を及ぼす心配はなく、しかも、アルカリ性であるので、貯留している雨水がアルカリ化される。このph調整機能も長期にわたって持続されるので、酸性雨対策の付随効果も得られる。
【発明を実施するための最良の形態】
【００２０】
本発明のリサイクルガラスカレット利用の雨水貯留浸透施設は、実施例１、２のように実施される。
【実施例１】
【００２１】
本発明の第１実施例を図１〜図３を参照して説明する。図１と図３は、宅地造成地内の駐車場、緑地帯、住宅、道路などの地下に構築したリサイクルガラスカレット３からなる雨水貯留浸透施設１の立断面図を示し、互いに直交する方向から見た立断面図である。そして、図２はその施設１の平面断面図を示している。
【００２２】
図１〜３に示すように、雨水貯留浸透施設１は、まず地盤 (土壌) ５を開削して、長四角の桝状凹部を所定寸法に形成する。この桝状凹部は、リサイクルガラスカレットの空隙率（４０〜５５％程度）から算出される所期保水量から逆算して、該所期保水量を保持するために必要な容量のリサイクルガラスカレットを収容するに足りる所期容積を持つ大きさに開削する。そして、その凹部の周囲壁面および底面に接して破線で示す透水性の布製浸透シート２を配設し、この浸透シート２の内部に、これに包み込まれるようにリサイクルガラスカレット３を詰めて斜線で図示する雨水貯留浸透層４を構築する。雨水貯留浸透層４の上面が地下水位(Ｈ．Ｗ．Ｌ．)とほぼ一致するように配設し、雨水貯留浸透層４の上面も浸透シート２でカバーする。
【００２３】
リサイクルガラスカレット３(以下、ガラスカレット３と略す)というのは、たとえば破砕した緑色系ガラス瓶等の再生困難なガラスくずをリサイクルしようとするものである。雨水貯留浸透層４の構築に当たって、ガラスカレット３を浸透シート２にて包み込む必要は必ずしも無く、浸透シート２無しで裸のガラスカレット３をそのまま地中に埋設して構築してもよい。雨水貯留浸透層４を構築した後、地表部５ａを埋め戻しする。
【００２４】
この雨水貯留浸透層４は、周囲の地盤５との保水能力の差に応じて、地盤５側から集水した雨水を雨水貯留浸透層４内に貯留したり、層４内の雨水を地盤５側へ浸透させたりする。使用するガラスカレット３の粒径は最小０．１(粉状)から最大２５ｍｍのものを使用する。そして、ガラスカレット３を０．１(粉状)〜２ｍｍ，２〜３ｍｍ，３〜７ｍｍ、７ｍｍ〜２５ｍｍなどの幾つかの大きさ群に振動ふるいにかけて種類分けし、このうちから大きさを選定して使用する。
【００２５】
集合体になった状態のガラスカレット３の各粒子同士の間には空隙があり、その空隙に入る雨水の表面張力によって雨水が空隙内に保持される。すなわち、各粒子間に空隙を有することによりガラスカレット３からなる雨水貯留浸透層４に保水能力が生じる。各空隙の大きさは、雨水の表面張力によって該雨水が空隙に保持される大きさになるように設ける。
【００２６】
ガラスカレット３からなる雨水貯留浸透層４の空隙率は大きく、通常の砂の１０％に対して上記各粒径群のいずれも空隙率は４０〜５０％である。そして、この中では粒径の小さいもの(０〜２ｍｍ)程保水能力は大きく、２〜３ｍｍ，３〜７ｍｍと粒径が大きくなるにつれ徐々に保水能力は落ちる。こうして保水はするものの、ガラスカレット３単体の含水率は０〜０．３％であり、含水することはない。したがって、保水しても体積は増加しないので空隙は減らず、雨水貯留浸透層４の保水能力が経時的に低下することはなく、保水性は長寿命である。なお、砂等にも同様の現象を見ることができるが、これらは保水すると体積が増加してしまうので目詰まりを生じ、保水能力の経時的低下が避けられない。
【００２７】
図１に示すように、ガラスカレット３からなる雨水貯留浸透層４を水平方向に貫通して有孔管６(排水流路)が配設される。雨水貯留浸透層４の内部における有孔管６には図示のように管壁に多数の貫通孔７(連通手段)が設けられ、貫通孔７を通じて周囲の雨水貯留浸透層４と連通している。
【００２８】
また、図示を省略しているが、有孔管６の宅地側(雨水受け入れ側)端部は、住宅の雨樋からの排水経路に接続されている。そして有孔管６の流出端が塩化ビニール製の雨水桝８に接続されている。雨水桝８の底部には砕石層９が配設されている。
【００２９】
こうして、有孔管６内の雨水は雨水貯留浸透層４に保水、貯留され、その貯留能力を超えたとき雨水貯留浸透層４内の雨水は貫通孔７を通って有孔管６に入り(戻り)、さらに雨水桝８に流入する。枡８内の雨水が地下水位(Ｈ，Ｗ．Ｌ．)に達するとオーバーフロー管１０を経てＵ字溝１１(排水施設)に排水される。
【００３０】
宅地造成地においては、建設する建築物などにより雨水が地中へ直接浸透する面積が建築物の分だけ減少する。建築物上に降った雨水は雨樋等の排水経路を通って排水されるので、地盤の雨水浸透能力が落ちて、直接Ｕ字溝１１等へ流れ込む雨水が増加することになる。そこで、時間当たり流れ込み量を緩和するために造成地(建築物)とＵ字溝１１(排水施設)との中間に雨水貯留浸透施設１を設け、雨水貯留浸透層４に雨水を貯留して時間をかけて排水する。
【００３１】
宅地造成に際しては、地盤の浸透容量(浸透数値)から雨水貯留浸透層４に要求される時間当たりの貯留能力を導き、ガラスカレット３の粒径および雨水貯留浸透層４の容積を決めて構築する。
【００３２】
ガラスカレット３からなる雨水貯留浸透層４は、周囲の地盤５の保水能力が勝る場合(周囲地盤５の保水能力に余裕がある場合)は雨水を周囲の地盤５へ浸透させ、逆に周囲の地盤５の保水能力が減少した場合(周囲地盤５の保水能力に余裕がなくなった場合)には自らの雨水貯留浸透層４内に雨水を貯留する。そして、この貯留作用と浸透作用の切り替えは自動的に行われ、人手をわずらわすことはない。周囲地盤５の保水が過大になって液状化するのを自動的に防止する効果が期待できる。
【００３３】
さらに、ガラスカレット３はアルカリ性であるので、貯留している雨水をアルカリ化する。このｐＨ調整機能はたとえば、日本の年間平均降雨量で計算すると、７年以上持続されるという試算もあり、ガラスカレット３からなる雨水貯留浸透層４のｐＨ調整機能も長期にわたって利用することができる。
【００３４】
さらに、ガラスカレット３からなる雨水貯留浸透層４の素材として、たとえば再生困難な緑色系ガラス瓶等のくず(廃物)を利用しているので、ガラス廃棄物のリサイクルが遅れている現状を積極的に改善する効果が得られると共に、雨水貯留浸透層４の成分がガラスであるので、埋設構築によって周囲の地盤５に悪影響を及ぼす心配はない。
【００３５】
そして、このほか、ガラスは熱伝導率が低いので、雨水貯留浸透層４により地中の温度変化を緩和する作用を期待することができる。
【実施例２】
【００３６】
本発明の第２実施例を図４〜図６を参照して説明する。図４は上記第１実施例と同様の宅地造成地内の駐車場の地下に構築したリサイクルガラスカレット３(以下、ガラスカレット３と略す)からなる雨水貯留浸透施設１ａの平面断面図であり、図５と図６は共に立断面図であり、それぞれ図４におけるＸ−Ｘ断面図、Ｙ−Ｙ断面図である。第１実施例と同様の構成要素たとえばガラスカレット３、の特性などについての重複する説明は省略する。
図４〜６に破線で示すように、本実施例のガラスカレット３からなる雨水貯留浸透層４は、ガラスカレット３を透水シート２で包み込んだ状態で、道路境界線１２や隣接地境界線１３等と境界を接する駐車場１４内に破線で示す平面視長四角形状で地下に埋設して構築されている(図４参照)。
【００３７】
そして、粒径０．１〜２５ｍｍのガラスカレット３を選定して構築した雨水貯留浸透層４内を貫通して同心、同形状(曲管状)に破線で示す有孔管６ａ(排水流路)が配設されている。有孔管６ａの周壁には貫通孔７が設けられると共に透水シート２ａが巻きつけられている。なお、貫通孔７をカバーする透水シート２ａを必ずしも巻きつける必要はなく、上記第１実施例のように裸のままでもよい。
【００３８】
有孔管６ａの宅地側(雨水受け入れ側)端部は雨水最終枡１６を介して住宅の雨樋からの排水経路の流入管１５に接続され、住宅の雨樋からの排水が有孔管６ａに流入する。道路側他端部(雨水排水側)は雨水最終接続桝１７および雨水接続管１７ａを経て雨水本管１８(排水施設)に接続されている。
【００３９】
一方、ガラスカレット３からなる雨水貯留浸透層４の上方は埋め戻しした上に砕石層１９が配設され、さらに表面にはコンクリート２０が打設されて不透水面とされている。また、雨水貯留浸透層４の下方には雨水貯留浸透層４よりも大径の粗粒ガラスカレット３からなる裸の底部貯留浸透層４ａを設けている。底部貯留浸透層４ａの方が、その上の雨水貯留浸透層４よりも保水性は弱く、透水性は大きい。
【００４０】
このような構成により、本実施例によれば、住宅の雨樋から流入管１５を経て有孔管６ａへ流入した雨水は、貫通孔７(連通手段)と外周の透水シート２ａを通って周囲の雨水貯留浸透層４に保水されることにより、一気に雨水本管１８へ流れ込むようなことがなくなる。雨水貯留浸透層４の保水能力が減少した場合には、雨水は透水性のより大きい底部貯留浸透層４ａを通って下方の地盤５へ吸い出されることにより雨水本管１８への急激な流れ込みが緩和される。
【実施例３】
【００４１】
本発明の第３実施例を図７〜図８を参照して説明する。図７、８は、側溝の地下に構築したリサイクルガラスカレット３(以下、ガラスカレット３と略す)からなる雨水貯留浸透施設１ｂの立断面図である。第１、３実施例と同様の構成要素たとえばガラスカレット３、の特性などについての重複する説明は省略する。
【００４２】
側溝３１は、道路３４の路面排水のため、表面がアスファルト３３等で舗装された道路３４の端部又は図示しない歩車道境に設けられている溝である。この側溝３１に集まった水は、適当な間隔で設けられている集水ます３２を通して下水管へと送られる。
【００４３】
ガラスカレット３からなる雨水貯留浸透層４は、ガラスカレット３を透水シート２で包み込んだ状態で、側溝３１、集水ます３２などの周囲や、道路３４の地下に埋設して構築される。ちなみに、この透水シート２は、雨水のみ浸透させることができ、ガラスカレットの拡散を防止できるような布類等を想定しているが、これを砕石等に代替させてもよい。
【００４４】
このような構成により、道路３４への降雨による雨水は、側溝３１へ流れていくとともに、アスファルト３３を介して雨水貯留浸透層４に保水されることになる。また、道路３４から側溝３１へ流れてきた雨水は、集水ます３２へ流れていき、或いは、側溝３１の溝壁３５を介してその周囲に構築された雨水貯留浸透層４に保水されることになる。また、側溝３１から集水ます３２へ流れてきた雨水は、下水道へと送られ、或いは溝壁３５を介してその周囲に構築された雨水貯留浸透層４に保水されることになる。これにより、雨水が一気に下水道へ流れ込むようなことがなくなる。雨水貯留浸透層４の保水能力が減少した場合には、雨水は透水シート２を通って下方の地盤５へ吸い出されることにより雨水本管１８への急激な流れ込みが緩和されることになる。
【００４５】
このように、道路３４の下部や側溝３１、集水ます３２の周囲に構築される本発明の第３実施例に関しても、上述した第１実施例、第２実施例と同様の効果を得ることが可能となる。特に、この道路３１の下部等に構築される第３実施例においては、この雨水貯水浸透層４に保水された雨水が蒸散すると、その気化熱によりアスファルト３３や溝壁３５の温度を下げることが可能となることから、特に夏場において路面を冷やすことができるという点においても有用となる。
【００４６】
なお、上述した実施例では、雨水貯留浸透層４が、緑地帯、住宅、道路等の地下、側溝３１、雨水管、集水ます３２などの周囲においてそれぞれ構築される場合を例にとって説明をしている。これらのうち、何れか１につき構築されていれば足りることは勿論である。
【００４７】
また、本発明を適用した雨水貯留浸透施設１,１ａ,１ｂは、開発地、公共施設などの地下に構築されていてもよい。ここで開発地とは、下記に示す開発行為によるものである。即ち、開発行為とは、１）市街化区域内において行う開発行為でその規模が政令で定める規模未満であるもの、２）市街化調整区域内において行う開発行為であって、農業、林業若しくは漁業の用に供する政令で定める建築物又はこれらの業務を営む者の居住の用に供する建築物の建築用に供する目的で行うもの、３）駅舎その他の鉄道の施設、社会福祉施設、医療施設、学校教育法による学校、公民館、変電所その他これらに類する政令で定める公益上必要な建築物の建築の用に供する目的で行う開発行為である。
【００４８】
また、公共施設とは、飛行場や鉄道、道路等が含まれる。
【図面の簡単な説明】
【００４９】
【図１】本発明の第１実施例におけるガラスカレットからなる雨水貯留浸透施設の立断面図である。
【図２】第１実施例におけるガラスカレットからなる雨水貯留浸透施設の平面断面図である。
【図３】第１実施例におけるガラスカレットからなる雨水貯留浸透施設の、図１と直交する方向の立断面図である。
【図４】本発明の第２実施例におけるガラスカレットからなる雨水貯留浸透施設の平面断面図である。
【図５】図４のＸ−Ｘ断面図である。
【図６】図４のＹ−Ｙ断面図である。
【図７】本発明の第３実施例におけるガラスカレットからなる雨水貯留浸透施設の立断面図である。
【図８】第３実施例におけるガラスカレットからなる雨水貯留浸透施設の他の断面図である。
【符号の説明】
【００５０】
１，１ａ，１ｂ  雨水貯留浸透施設
２，２ａ  浸透シート
３    リサイクルガラスカレット、ガラスカレット
４    雨水貯留浸透層
４ａ  底部貯留浸透層
５    地盤(土壌)
５ａ  地表部
６，６ａ  有孔管(排水流路)
７    貫通孔(連通手段)
８    雨水桝
９    砕石層
１０  オーバーフロー管
１１  Ｕ字溝(排水施設)
１２  道路境界線
１３  隣接地境界線
１４  駐車場
１５  流入管
１６  雨水最終枡
１７  雨水最終接続桝
１７ａ  雨水接続管
１８    排水本管(排水施設)
１９  砕石層
２０  コンクリート
【図１】
2006046063.tif 000003
【図２】
2006046063.tif 000004
【図３】
2006046063.tif 000005
【図４】
2006046063.tif 000006
【図５】
2006046063.tif 000007
【図６】
2006046063.tif 000008
【図７】
2006046063.tif 000009
【図８】
2006046063.tif 000010
【手続補正書】
【提出日】平成17年11月14日(2005.11.14)
【手続補正１】
【補正対象書類名】特許請求の範囲
【補正対象項目名】全文
【補正方法】変更
【補正の内容】
【特許請求の範囲】
【請求項１】
開発地、公共施設などの地下や、雨水管、集水ますなどの周囲に構築され、降雨時に雨水が排水本管等の排水施設へ急激に集中流入するのを緩和する雨水貯留浸透施設において、
リサイクルガラスカレットを用いて、該ガラスカレットの空隙率及び、水の表面張力を保持できる大きさの空隙の数によって決まる所期保水量を保持するに足りる容積を持つ雨水貯留浸透層を地中に構築し、
前記雨水貯留浸透層の内部を貫通して配設され、該層内部において該層と連通する手段を有すると共に該層の外部へ延び出して前記排水施設に接続される排水流路を備え、
前記排水流路は、流入端側から受け入れた雨水を前記雨水貯留浸透層へ保水、貯留させ、また前記雨水貯留浸透層の前記所期保水量を超えたとき、接続された前記排水施設へ前記雨水を流出させ、
前記雨水貯留浸透層は、前記ガラスカレットの粒径を予め調整することにより自身の吸水スピードが決められ、さらに周囲の土壌との吸水スピード差に応じて前記雨水を層内に保水し、または前記周囲の土壌へ浸透させること
を特徴とする雨水貯留浸透施設。
【請求項２】
開発地、公共施設などの地下や、雨水管、集水ますなどの周囲に構築され、降雨時に雨水が排水本管等の排水施設へ急激に集中流入するのを緩和する雨水貯留浸透施設において、
リサイクルガラスカレットを用いて、該ガラスカレットの空隙率及び、水の表面張力を保持できる大きさの空隙の数によって決まる所期保水量を保持するに足りる容積を持つ雨水貯留浸透層を地中に構築し、
路面から集めた雨水を前記雨水貯留浸透層へ保水、貯留させ、また前記雨水貯留浸透層の前記所期保水量を超えたとき、前記排水施設へ前記雨水を流出させ、
前記雨水貯留浸透層は、前記ガラスカレットの粒径を予め調整することにより自身の吸水スピードが決められ、さらに周囲の土壌との吸水スピード差に応じて前記雨水を層内に保水し、または前記周囲の土壌へ浸透させること
を特徴とする雨水貯留浸透施設。
【請求項３】
宅地造成地の駐車場、緑地帯、住宅、道路などの地下に構築されてなることを特徴とする請求項１又は２記載のリサイクルガラスカレット利用の雨水貯留浸透施設。
【請求項４】
前記雨水貯留浸透層と周囲の土壌との吸水スピードの比較において、周囲土壌の吸水スピードが劣る場合には雨水貯留浸透層は雨水を自らの層内に保水し、または周囲土壌の雨水を雨水貯留浸透層が吸収して保水し、周囲の土壌の吸水スピードが勝る場合には雨水貯留浸透層は雨水を層内から周囲土壌へ浸透させることを特徴とする請求項１〜３の何れかに記載の記載のリサイクルガラスカレット利用の雨水貯留浸透施設。
【請求項５】
前記雨水貯留浸透層が布製等の透水シートに包まれて地下に埋設構築されるか、または裸のままで地下に埋設構築されることを特徴とする請求項１〜４の何れかに記載のリサイクルガラスカレット利用の雨水貯留浸透施設。
【請求項６】
前記排水流路は、管状に形成され、その管壁を貫通して設けられた多数の孔が前記雨水貯留浸透層と連通する手段を構成していることを特徴とする請求項１に記載のリサイクルガラスカレット利用の雨水貯留浸透施設。
【請求項７】
前記連通手段としての多数の貫通孔を布製等の透水シートで覆うか、または覆わずに露出したままとされることを特徴とする請求項６に記載のリサイクルガラスカレット利用の雨水貯留浸透施設。
【請求項８】
前記管状の排水流路の住宅側端部が住宅の雨樋などの排水経路に接続されていることを特徴とする請求項６又は７に記載のリサイクルガラスカレット利用の雨水貯留浸透施設。
【請求項９】
前記雨水貯留浸透層の構築に当たり、粒径がほぼ０．１ｍｍ〜２ｍｍを含むリサイクルガラスカレットを用いて構築することを特徴とする請求項１〜８のいずれかに記載のリサイクルガラスカレット利用の雨水貯留浸透施設。
【請求項１０】
前記雨水貯留浸透層の構築に当たり、該雨水貯留浸透層と周囲の土壌との間に雨水貯留浸透層内部よりも適度に大粒径のリサイクルガラスカレット層を所定厚さおよび範囲に構築し、雨水貯留浸透層と周囲の土壌との吸水スピード差に応じて雨水の受け渡しをスムーズ化することを特徴とする請求項１〜９のいずれかに記載のリサイクルガラスカレット利用の雨水貯留浸透施設。
【手続補正２】
【補正対象書類名】明細書
【補正対象項目名】０００７
【補正方法】変更
【補正の内容】
【０００７】
前記課題を解決するために、請求項１に記載の発明は、開発地、公共施設などの地下や、雨水管、集水ますなどの周囲に構築され、降雨時に雨水が排水本管等の排水施設へ急激に集中流入するのを緩和する雨水貯留浸透施設において、リサイクルガラスカレットを用いて、該ガラスカレットの空隙率及び、水の表面張力を保持できる大きさの空隙の数によって決まる所期保水量を保持するに足りる容積を持つ雨水貯留浸透層を地中に構築し、前記雨水貯留浸透層の内部を貫通して配設され、該層内部において該層と連通する手段を有すると共に該層の外部へ延び出して前記排水施設に接続される排水流路を備え、前記排水流路は、流入端側から受け入れた雨水を前記雨水貯留浸透層へ保水、貯留させ、また前記雨水貯留浸透層の前記所期保水量を超えたとき、接続された前記排水施設へ前記雨水を流出させ、前記雨水貯留浸透層は、前記ガラスカレットの粒径を予め調整することにより自身の吸水スピードが決められ、さらに周囲の土壌との吸水スピード差に応じて前記雨水を層内に保水し、または前記周囲の土壌へ浸透させることを特徴とする。
また、前記課題を解決するために、請求項２に記載の発明は、開発地、公共施設などの地下や、雨水管、集水ますなどの周囲に構築され、降雨時に雨水が排水本管等の排水施設へ急激に集中流入するのを緩和する雨水貯留浸透施設において、リサイクルガラスカレットを用いて、該ガラスカレットの空隙率及び、水の表面張力を保持できる大きさの空隙の数によって決まる所期保水量を保持するに足りる容積を持つ雨水貯留浸透層を地中に構築し、路面から集めた雨水を前記雨水貯留浸透層へ保水、貯留させ、また前記雨水貯留浸透層の前記所期保水量を超えたとき、前記排水施設へ前記雨水を流出させ、前記雨水貯留浸透層は、前記ガラスカレットの粒径を予め調整することにより自身の吸水スピードが決められ、さらに周囲の土壌との吸水スピード差に応じて前記雨水を層内に保水し、または前記周囲の土壌へ浸透させることを特徴とする。
【手続補正３】
【補正対象書類名】明細書
【補正対象項目名】０００８
【補正方法】変更
【補正の内容】
【０００８】
請求項３に記載の発明は、請求項１又は２に記載の発明において、宅地造成地の駐車場、緑地帯、住宅、道路などの地下に構築されてなることを特徴とする。
【手続補正４】
【補正対象書類名】明細書
【補正対象項目名】０００９
【補正方法】変更
【補正の内容】
【０００９】
請求項４に記載の発明は、請求項１〜３の何れかに記載の発明において、 前記雨水貯留浸透層と周囲の土壌との吸水スピードの比較において、周囲土壌の吸水スピードが劣る場合には雨水貯留浸透層は雨水を自らの層内に保水し、または周囲土壌の雨水を雨水貯留浸透層が吸収して保水し、周囲の土壌の吸水スピードが勝る場合には雨水貯留浸透層は雨水を層内から周囲土壌へ浸透させることを特徴とする。
【手続補正５】
【補正対象書類名】明細書
【補正対象項目名】００１０
【補正方法】変更
【補正の内容】
【００１０】
請求項５に記載の発明は、請求項１〜４の何れかに記載の発明において、前記雨水貯留浸透層が布製等の透水シートに包まれて地下に埋設構築されるか、または裸のままで地下に埋設構築されることを特徴とする。
【手続補正６】
【補正対象書類名】明細書
【補正対象項目名】００１１
【補正方法】変更
【補正の内容】
【００１１】
請求項６に記載の発明は、請求項１に記載の発明において、前記排水流路は、管状に形成され、その管壁を貫通して設けられた多数の孔が前記雨水貯留浸透層と連通する手段を構成していることを特徴とする。
【手続補正７】
【補正対象書類名】明細書
【補正対象項目名】００１２
【補正方法】変更
【補正の内容】
【００１２】
請求項７記載の発明は、請求項６に記載の発明において、前記連通手段としての多数の貫通孔を布製等の透水シートで覆うか、または覆わずに露出したままとされることを特徴とする。
【手続補正８】
【補正対象書類名】明細書
【補正対象項目名】００１３
【補正方法】変更
【補正の内容】
【００１３】
請求項８に記載の発明は、請求項６又は７に記載の発明において、前記管状の排水流路の住宅側端部が住宅の雨樋などの排水経路に接続されていることを特徴とする。
【手続補正９】
【補正対象書類名】明細書
【補正対象項目名】００１４
【補正方法】変更
【補正の内容】
【００１４】
請求項９に記載の発明は、請求項１〜８の何れかに記載の発明において、前記雨水貯留浸透層の構築に当たり、粒径がほぼ０．１ｍｍ〜２ｍｍを含むリサイクルガラスカレットを用いて構築することを特徴とする。
【手続補正１０】
【補正対象書類名】明細書
【補正対象項目名】００１５
【補正方法】変更
【補正の内容】
【００１５】
請求項１０に記載の発明は、請求項１〜９の何れかに記載の発明において、前記雨水貯留浸透層の構築に当たり、該雨水貯留浸透層と周囲の土壌との間に雨水貯留浸透層内部よりも適度に大粒径のリサイクルガラスカレット層を所定厚さおよび範囲に構築し、雨水貯留浸透層と周囲の土壌との吸水スピード差に応じて雨水の受け渡しをスムーズ化することを特徴とする。